(57)【要約】【課題】電力供給源を用意して契約電力を下げつつ、電力供給源の設備投資回収の期間を短縮可能とすることができる電力供給装置を提供する。【解決手段】電力供給システムは、電力供給源と、電力供給源制御装置と、を備える。前記電力供給源は、複数の需要家のそれぞれに対して電力を供給する。前記電力供給源制御装置は、前記複数の需要家の各負荷での消費電力が需要家ごとに設定された契約電力を越える時間帯の情報に基づいて、前記電力供給源の供給可能範囲において、前記複数の需要家のうち前記電力供給源から前記契約電力を越えた分の電力を供給する需要家を決定し、該決定された需要家に電力を供給するように前記電力供給源を制御する。【選択図】図１
2016135025.tif 000002
【特許請求の範囲】
【請求項１】
複数の需要家のそれぞれに対して電力を供給する電力供給源と、
前記複数の需要家の各負荷での消費電力が需要家ごとに設定された契約電力を越える時間帯の情報に基づいて、前記電力供給源の供給可能範囲において、前記複数の需要家のうち前記電力供給源から前記契約電力を越えた分の電力を供給する需要家を決定し、該決定された需要家に電力を供給するように前記電力供給源を制御する電力供給源制御装置と、
を備える電力供給システム。
【請求項２】
前記電力供給源は、充放電可能な蓄電装置である、
請求項１に記載の電力供給システム。
【請求項３】
前記電力供給源制御装置は、
前記決定された需要家に電力を供給していない時間帯で前記蓄電装置を充電するように制御する、
請求項２に記載の電力供給システム。
【請求項４】
前記電力供給源制御装置は、
前記複数の需要家のうち前記契約電力を越える時間帯が異なる需要家を前記電力供給源から前記契約電力を越えた分の電力を供給する需要家として決定し、該決定された需要家に電力を供給するように前記電力供給源を制御する、
請求項１から３の何れか一項に記載の電力供給システム。
【請求項５】
前記電力供給源制御装置は、
前記契約電力を越えた分の電力を供給する需要家を前記蓄電装置の充電量に基づいて決定する、
請求項２に記載の電力供給システム。
【請求項６】
前記電力供給源は、充放電可能な蓄電装置と、該蓄電装置に充電可能な発電装置とを含み、
前記電力供給源制御装置は、
前記決定された需要家に電力を供給していない時間帯に前記発電装置から前記蓄電装置を充電するように制御する、
請求項１に記載の電力供給システム。
【請求項７】
前記電力供給源は、電力を生成する発電装置である、
請求項１に記載の電力供給システム。
【請求項８】
前記電力供給源は、電力を生成する揚水発電装置である、
請求項１に記載の電力供給システム。
【請求項９】
複数の需要家のそれぞれに対して電力を供給する電力供給源を備えた電力供給方法であって、
前記複数の需要家の各負荷での消費電力が需要家ごとに設定された契約電力を越える時間帯の情報を取得する段階と、
前記時間帯の情報に基づいて、前記電力供給源の供給可能範囲において、前記複数の需要家のうち前記電力供給源から前記契約電力を越えた分の電力を供給する需要家を決定する段階と、
前記決定された需要家に前記電力供給源から電力を供給する段階と、
を備える電力供給方法。
【発明の詳細な説明】
【技術分野】
【０００１】
本発明は、電力供給システム、及び電力供給方法に関する。
【背景技術】
【０００２】
電力を貯蔵する蓄電装置は、工場やオフィスビルなどの電力需要家（以降、需要家と記す）が消費する電力量が、電力会社との間の契約電力（ｋＷ）を越えそうな場合に放電することで、需要家の契約電力オーバーを抑止したり、夜間の安い電力を貯蔵し昼間に利用することで電力料金の削減に努めたり、停電などの非常時に備えて電力を蓄積しておく、あるいは、出力抑制している発電装置の抑制電力を一時的に貯蔵する装置である。
特許文献１には、関連する技術として、需要家の消費する全電力量があらかじめ予測された目標電力量を越えないように、需要家施設のそれぞれユニット毎に目標電力を設けて需要家内でローカルデマンド制御することにより、当該需要家の消費する全電力量が目標電力内に抑制する技術が記載されている。
【先行技術文献】
【特許文献】
【０００３】
【特許文献１】特開２００５−８６９７２号公報
【発明の概要】
【発明が解決しようとする課題】
【０００４】
ところで、これら需要家の中には、消費する電力量が契約電力を越える場合や、更なる電力料金削減のために、需要家自らが需要家施設内に電力供給源を用意したり、電力供給家の持つ電力供給源を利用し、そこから需要家内施設（負荷）に電力を供給する需要家もある。しかしながら、需要家の消費する電力が契約電力を越える時間帯は２４時間全体のうちのわずか、すなわち、いわゆるピーク時間帯のみであり、新たに用意した電力供給源で一需要家内施設（負荷）に電力を供給することでは、当該設備の設備稼働率は低くならざるを得ず、この電力供給源の設備投資回収は、一般的に長い期間を要することとなる。
そのため、電力供給源を用意して契約電力を下げつつ、設備投資回収の期間を短縮可能な技術が求められていた。
【０００５】
そこで、この発明は、上記の課題を解決することのできる電力供給システム及び電力供給方法を提供することを目的としている。
【課題を解決するための手段】
【０００６】
本発明の第１の態様によれば、電力供給システムは、複数の需要家のそれぞれに対して電力を供給する電力供給源と、前記複数の需要家の各負荷での消費電力が需要家ごとに設定された契約電力を越える時間帯の情報に基づいて、前記電力供給源の供給可能範囲において、前記複数の需要家のうち前記電力供給源から前記契約電力を越えた分の電力を供給する需要家を決定し、該決定された需要家に電力を供給するように前記電力供給源を制御する電力供給源制御装置と、を備える。
【０００７】
本発明の第２の態様によれば、上述の電力供給システムにおいて、前記電力供給源は、充放電可能な蓄電装置である。
【０００８】
本発明の第３の態様によれば、上述の電力供給システムにおいて、前記電力供給源制御装置は、前記決定された需要家に電力を供給していない時間帯で前記蓄電装置を充電するように制御する。
【０００９】
本発明の第４の態様によれば、上述の電力供給システムにおいて、前記電力供給源制御装置は、前記複数の需要家のうち前記契約電力を越える時間帯が異なる需要家を前記電力供給源から前記契約電力を越えた分の電力を供給する需要家として決定し、該決定された需要家に電力を供給するように前記電力供給源を制御する。
【００１０】
本発明の第５の態様によれば、上述の電力供給システムにおいて、前記電力供給源制御装置は、前記契約電力を越えた分の電力を供給する需要家を前記蓄電装置の充電量に基づいて決定する。
【００１１】
本発明の第６の態様によれば、上述の電力供給システムにおいて、前記電力供給源は、充放電可能な蓄電装置と、該蓄電装置に充電可能な発電装置とを含み、前記電力供給源制御装置は、前記決定された需要家に電力を供給していない時間帯に前記発電装置から前記蓄電装置を充電するように制御する。
【００１２】
本発明の第７の態様によれば、上述の電力供給システムにおいて、前記電力供給源は、電力を生成する発電装置である。
【００１３】
本発明の第８の態様によれば、上述の電力供給システムにおいて、前記電力供給源は、電力を生成する揚水発電装置である。なお、揚水発電装置は、例えば、蓄電装置として、既存の揚水発電所、および既存の複数の貯水池の水位の異なる一般水力発電所を水路によりつなぎ、揚水発電ができるようにしたものである。
【００１４】
本発明の第９の態様によれば、電力供給方法は、複数の需要家のそれぞれに対して電力を供給する電力供給源を備えた電力供給方法であって、前記複数の需要家の各負荷での消費電力が需要家ごとに設定された契約電力を越える時間帯の情報を取得する段階と、前記時間帯の情報に基づいて、前記電力供給源の供給可能範囲において、前記複数の需要家のうち前記電力供給源から前記契約電力を越えた分の電力を供給する需要家を決定する段階と、前記決定された需要家に前記電力供給源から電力を供給する段階と、を備える。
【発明の効果】
【００１５】
本発明の実施形態による電力供給システムによれば、電力供給源を用意して契約電力を下げつつ、電力供給源の設備投資回収の期間を短縮可能とすることができる。
【図面の簡単な説明】
【００１６】
【図１】本発明の第一の実施形態による電力供給装置を備える電力供給システムの構成の一例を示す図である。
【図２Ａ】本発明の第一の実施形態による電力供給装置の電力の供給先となる需要家の組み合わせの一例を示す図である。
【図２Ｂ】本発明の第一の実施形態による電力供給装置の電力の供給先となる需要家の組み合わせの一例を示す図である。
【図３】記憶部が記憶するデータテーブルの一例を示す図である。
【図４】本発明の第一の実施形態による電力供給装置の処理フローの一例を示す図である。
【図５】本発明の第二の実施形態による電力供給装置を備える電力供給システムの構成の一例を示す図である。
【図６】本発明の第二の実施形態による電力供給装置の処理フローの一例を示す図である。
【図７】本発明の第三の実施形態による電力供給装置を備える電力供給システムの構成の一例を示す図である。
【図８】本発明の第三の実施形態による電力供給装置の処理フローの一例を示す図である。
【図９】本発明の第一の実施形態による電力供給装置を備える電力供給システムにおいて、既存の系統を介して電力供給を行う構成の一例を示す図である。
【図１０】本発明の第二の実施形態による電力供給装置を備える電力供給システムにおいて、既存の系統を介して電力供給を行う構成の一例を示す図である。
【図１１】本発明の第三の実施形態による電力供給装置を備える電力供給システムにおいて、既存の系統を介して電力供給を行う構成の一例を示す図である。
【発明を実施するための形態】
【００１７】
以下、図面を参照しながら実施形態について詳しく説明する。
＜第一の実施形態＞
まず、本発明の第一の実施形態による電力供給装置３０を備える電力供給システム１の構成について説明する。図１は、本発明の第一の実施形態による電力供給装置３０を備える電力供給システム１の構成の一例を示す図である。図１で示すように、電力供給システム１は、需要家１０（第一の需要家１０ａ、第二の需要家１０ｂ、・・・）と、電力量計２０（第一の電力量計２０ａ、第二の電力量計２０ｂ、・・・）と、電力供給装置３０と、を備える。
【００１８】
需要家１０は、例えば、オフィス、マンション、工場などであって、負荷１０１を備える。需要家１０は、電力会社との間で契約電力を設定し、系統Ａから電力が供給されて負荷１０１を駆動する。また、需要家１０は、後述する蓄電装置３０２からも電力が供給されて負荷１０１（第一の負荷１０１ａ、第二の負荷１０１ｂ、・・・）を駆動する。本実施形態では、第一の需要家１０ａ（以降、需要家１０ａと記す）は第一の負荷１０１ａ（以降、負荷１０１ａと記す）を備え、第二の需要家１０ｂ（以降、需要家１０ｂと記す）は第二の負荷１０１ｂ（以降、負荷１０１ｂと記す）を備えており、負荷１０１ａで消費される電力が需要家１０ａの契約した契約電力を越える時間帯と、負荷１０１ｂで消費される電力が需要家１０ｂの契約した契約電力を越える時間帯とがそれぞれ異なるものとする。例えば、需要家１０ａはオフィスであり、需要家１０ｂは工場である。
【００１９】
電力量計２０は、需要家１０が示す負荷が消費する電力量を測定する。電力量計２０は、例えば、２４時間など特定の期間測定して、時間帯ごとの消費電力の情報を電力供給装置３０に送る。第一の電力量計２０ａ（以降、電力量計２０ａと記す）は、需要家１０ａの備える負荷１０１ａが消費する電力量を測定し、第二の電力量計２０ｂ（以降、電力量計２０ｂと記す）は、需要家１０ｂの備える負荷１０１ｂが消費する電力量を測定する。
【００２０】
電力供給装置３０は、蓄電装置（電力供給源）３０２と、電力供給源制御装置３０３と、を備える。
【００２１】
蓄電装置３０２は、例えば、ナトリウム硫黄電池やリチウムイオン電池などの蓄電池で構成され、系統Ａからの電力供給により充電し、各需要家１０の負荷１０１に対して放電可能な電力供給源である。また、蓄電装置３０２は、供給する電力の電圧を電力の供給先や既存の系統接続先の電圧に適した電圧に変換して電力供給する電力変換器を含む。
【００２２】
蓄電装置３０２は、電力供給源制御装置３０３による制御に基づいて、各需要家１０に対し、それぞれ負荷１０１での消費電力が契約電力を越える時間帯に電力を供給する。例えば、需要家１０ａに対しては、蓄電装置３０２から昼間の時間帯に電力が供給され、需要家１０ｂに対しては、夜間の時間帯に電力が供給される。
【００２３】
電力供給源制御装置３０３は、電力量取得部４１、組合せ決定部４２、記憶部４３、及び電力供給源制御部４４と、を備える。電力供給源制御装置３０３は、例えば、種々の演算および制御を行うためのプロセッサ、情報（データ）を一時的に格納するとともに、制御時にワーキングエリアとして機能するＲＡＭ（Ｒａｎｄｏｍ  Ａｃｃｅｓｓ  Ｍｅｍｏｒｙ）、プログラム等を格納するＲＯＭ（Ｒｅａｄ  Ｏｎｌｙ  Ｍｅｍｏｒｙ）、及び周辺回路から構成され、上記各部の処理機能を実現することができる。
【００２４】
電力量取得部４１は、複数の電力量計２０から、各需要家１０の負荷１０１での時間帯ごとの消費電力の情報を取得し、該取得した消費電力の情報を記憶部４３に格納する。電力量取得部４１は、所定のタイミングで消費電力の情報を適宜取得でき、例えば、１日置きの特定の時間に取得することができる。
【００２５】
組合せ決定部４２は、記憶部４３に記憶された、各需要家１０の契約電力の情報と、各需要家１０の負荷１０１での時間帯ごとの消費電力の情報とに基づいて、蓄電装置３０２の供給可能範囲において、蓄電装置３０２を共有する複数の需要家１０の組み合わせを決定する。例えば、組合せ決定部４２は、昼間の時間帯に消費電力が契約電力を越える需要家１０ａと、夜間の時間帯に消費電力が契約電力を越える需要家１０ｂとの組み合わせを決定する。また、組合せ決定部４２は、電力供給装置３０から需要家１０が備える負荷１０１のそれぞれに供給すべき電力量と時間帯とを示すデータテーブルＴＢＬ１を作成し、記憶部４３に記憶する。なお、本実施形態において、各需要家１０の契約電力の情報は、記憶部４３に予め記憶されているものとして説明するが、この場合に限られず、例えば、各電力量計が情報を保持しており、消費電力の情報とともに、電力量取得部４１が取得するようにしてもよい。
【００２６】
記憶部４３は、電力供給源制御装置３０３が行う種々の処理に必要な情報を記憶する。例えば、記憶部４３は、各需要家１０ａ、１０ｂの契約電力の情報が予め記憶されており、また、電力量取得部４１が取得したデータを記憶し、需要家１０が備える負荷１０１のそれぞれに供給する電力量と時間帯とを示すデータテーブルＴＢＬ１として記憶することができる。
【００２７】
電力供給源制御部４４は、組み合わせ決定部４２で決定された蓄電装置３０２を共有する複数の需要家１０の組み合わせ情報及び該複数の需要家１０のそれぞれの消費電力の時間帯の情報と、記憶部４３で予め記憶された複数の需要家１０の契約電力の情報とに基づいて、消費電力が契約電力を越える時間帯の異なる複数の需要家１０のそれぞれ（需要家１０ａ、需要家１０ｂ）に対してそれぞれに決定された所定の時間帯に電力を供給するように蓄電装置３０２を制御する。
【００２８】
ここで、本発明の第一の実施形態による電力供給装置３０の電力の供給先となる需要家１０における消費電力について説明する。図２は、本発明の第一の実施形態による電力供給装置３０の電力の供給先となる需要家１０における消費電力の一例を示す図であり、図中において、横軸は時刻を示し、縦軸は消費電力を示している。
【００２９】
図２Ａに示すように、需要家１０ａが備える負荷１０１ａの電力量計２０ａで測られる電力は、昼間に１００ｋＷの消費電力のピークを有する。需要家１０ａが契約電力７５ｋＷであり、負荷１０１ａが消費する電力が契約電力７５ｋＷを越える電力の不足分を電力供給装置３０から負荷１０１ａに供給を受けようとする場合、需要家１０ａは、負荷１０１ａが消費する電力が契約電力７５ｋＷを越える９：００〜１７：００の８時間に電力供給装置３０より電力供給を必要とする。
【００３０】
また、図２Ｂに示すように、需要家１０ｂが備える負荷１０１ｂの電力量計２０ｂで測られる電力は、夜間に消費電力のピーク１００ｋＷを有する。需要家１０ｂの契約電力も７５ｋＷであった場合、負荷１０１ｂが消費する電力が契約電力７５ｋＷを越える電力の不足分を電力供給装置３０から負荷１０１ｂに電力供給を受けようとする場合、需要家１０ｂは、負荷１０１ｂが消費する電力が契約電力７５ｋＷを越える１：００〜４：００の３時間に電力供給装置３０より電力供給を必要とする。
【００３１】
上述した組合せ決定部４２は、複数の需要家１０のうち、負荷１０１が消費する電力が契約電力を越える時間帯の異なる、昼間に消費電力が契約電力を越える需要家１０ａと夜間に消費電力が契約電力を越える需要家１０ｂとの組み合わせを決定する。組合せ決定部４２が需要家１０ａと需要家１０ｂとの組み合わせを決定した場合、電力供給装置３０は、負荷１０１ａの消費電力が契約電力７５ｋＷを越える９：００〜１７：００の８時間に負荷１０１ａに電力を供給し、負荷１０１ｂの消費電力が契約電力７５ｋＷを越える１：００〜４：００の３時間に負荷１０１ｂに電力を供給する。
【００３２】
このように、複数の需要家で共有の電力供給装置３０を時間帯に基づいて使用することで、需要家１０ａと需要家１０ｂのそれぞれが電力供給装置３０を用意する場合に比べ、電力供給装置３０への設備投資を低く抑えることができる。すなわち、需要家１０ａと需要家１０ｂのそれぞれが１つの電力供給装置３０を共有するために電力供給装置３０の設備稼働率が向上し、電力供給装置３０が負荷１０１に供給する電力の割合が増える。それにより、電力供給装置３０に対して行った設備投資の回収は、短期間に行うことができる。
【００３３】
次に、記憶部４３が記憶する電力供給装置３０から需要家１０のそれぞれに供給する電力量と時間帯とを示すデータテーブルＴＢＬ１について詳細に説明する。図３は、記憶部４３が記憶するデータテーブルＴＢＬ１の一例を示す図である。
【００３４】
図３に示すデータテーブルＴＢＬ１は、図２で示した需要家１０ａと需要家１０ｂのそれぞれが契約電力７５ｋＷを越える分の電力を設備投資して用意した電力供給装置３０から負荷１０１に供給する場合に、電力供給装置３０が電力量計２０の計測値に基づきそれぞれの負荷１０１に供給すべき電力量と時間帯とを示している。具体的には、図３に示すデータテーブルＴＢＬ１は、電力供給装置３０が需要家１０ａの備える負荷１０１ａに対して９：００〜１２：００、１４:００〜１７：００に１２．５ｋＷの電力を供給し、１２：００〜１４:００に２５ｋＷの電力を供給することを示している。また、データテーブルＴＢＬ１は、電力供給装置３０が需要家１０ｂの備える負荷１０１ｂに対して１：００〜４：００に２５ｋＷの電力を供給することを示している。なお、１７：００〜１：００、４：００〜９：００の時間帯に、電力供給装置３０とは別の発電装置の余剰電力などを利用したり、出力抑制している発電装置の発電電力を一時的に貯蔵した電力を利用したり、系統Ａから電力を受電して蓄電装置３０２に電力を蓄えるものであってよい。また、組合せ決定部４２が１７：００〜１：００、４：００〜９：００の時間帯に電力を必要とする需要家１０ａと需要家１０ｂとは別の需要家の組み合わせを決定し、電力供給装置３０がその別の需要家の負荷１０１に電力を供給するものであってもよい。
【００３５】
次に、本発明の第一の実施形態による電力供給装置３０の処理について説明する。図４は、本発明の第一の実施形態による電力供給装置３０の処理フローの一例を示す図である。なお、電力量計２０は、複数の需要家１０の負荷１０１のそれぞれが消費する電力を測定する。例えば、電力量計２０ａは、需要家１０ａが備える負荷１０１ａが消費する電力を測定し、電力量計２０ｂは、需要家１０ｂが備える負荷１０１ｂが消費する電力を測定する。
【００３６】
電力量取得部４１は、複数の電力量計２０から、各需要家１０の負荷１０１での時間帯ごとの消費電力の情報を取得し、該取得した消費電力の情報を記憶部４３に格納する（ステップＳ１）。具体的には、電力量取得部４１は、電力量計２０ａより需要家１０ａが備える負荷１０１ａの消費電力の情報を取得し、電力量計２０ｂより需要家１０ｂが備える負荷１０１ｂの消費電力の情報を取得する。
【００３７】
組合せ決定部４２は、複数の需要家１０の備える負荷１０１が消費する電力が契約電力を越える時間帯に基づいて、複数の需要家１０の組み合わせを決定する（ステップＳ２）。例えば、図２を用いて説明したように、組合せ決定部４２は、複数の需要家１０の備える負荷１０１が消費する電力が契約電力を越える時間帯に基づいて、昼間に消費電力が契約電力を越える需要家１０ａと夜間に消費電力が契約電力を越える需要家１０ｂとの組み合わせを決定する。具体的には、組合せ決定部４２は、図２Ａに示す需要家１０ａの契約電力７５ｋＷを越える過去の消費電力の実績に対応する時刻ｔ１ａ〜ｔｎａを特定する。そして、組合せ決定部４２は、別の需要家１０ｂの契約電力７５ｋＷを越える消費電力に対応する時刻ｔ１ｂ〜ｔｍｂを特定する。組合せ決定部４２は、時刻ｔ１ａ〜ｔｎａと、時刻ｔ１ｂ〜ｔｍｂとを比較する。組合せ決定部４２は、一致する時刻を検知しない場合、需要家１０ａと需要家１０ｂとを電力供給源を共有する複数の需要家１０の組み合わせとして決定する。また、組合せ決定部４２は、一致する時刻を検知した場合には、需要家１０ａと需要家１０ｂとは組み合わせできないと判断する。組合せ決定部４２は、別の需要家１０ｃの契約電力を越える消費電力に対応する時刻を特定する。そして、組合せ決定部４２は、時刻ｔ１ａ〜ｔｎａと、需要家１０ｃの契約電力を越える消費電力に対応する時刻とを比較し、需要家１０ａと需要家１０ｂの場合と同様に組み合わせを判定してもよい。なお、需要家１０の契約電力を越える過去の消費電力の実績は、平均値であってもよいし、代表値であってもよい。
【００３８】
組合せ決定部４２は、組み合わせた複数の需要家１０を示す需要家情報を電力供給源制御部４４に出力する。例えば、組合せ決定部４２は、組み合わせた複数の需要家１０が需要家１０ａと需要家１０ｂであることを示す需要家情報を電力供給源制御部４４に出力する。
【００３９】
電力供給源制御部４４は、組合せ決定部４２から需要家情報の入力を受け付けると、電力供給装置３０が需要家１０のそれぞれに供給する電力と時間帯とを示すデータテーブルＴＢＬ１を記憶部４３から読み出す（ステップＳ３）。例えば、電力供給源制御部４４は、図３で示したデータテーブルＴＢＬ１を記憶部４３から読み出す。
【００４０】
電力供給源制御部４４は、入力した需要家情報が示す需要家とデータテーブルＴＢＬ１が示す需要家とを順に比較し、データテーブルＴＢＬ１において電力の供給先である需要家を特定する（ステップＳ４）。例えば、需要家情報が示す需要家が需要家１０ａと需要家１０ｂである場合、電力供給源制御部４４は、需要家１０ａとデータテーブルＴＢＬ１における需要家とを順に比較し、データテーブルＴＢＬ１において需要家１０ａを特定する。また、電力供給源制御部４４は、需要家１０ｂとデータテーブルＴＢＬにおける需要家とを順に比較し、データテーブルＴＢＬ１において需要家１０ｂを特定する。
【００４１】
電力供給源制御部４４は、データテーブルＴＢＬ１において特定した需要家１０のそれぞれに対応する供給電力と時間帯とを特定する（ステップＳ５）。例えば、電力供給源制御部４４は、図３で示したデータテーブルＴＢＬ１において需要家１０ａを特定した場合、需要家１０ａに対して９：００〜１２：００、１４:００〜１７：００に１２．５ｋＷの電力を供給し、１２：００〜１４:００に２５ｋＷの電力を供給すると特定する。また、電力供給源制御部４４は、図３で示したデータテーブルＴＢＬ１において需要家１０ｂを特定した場合、需要家１０ｂに対して１：００〜４：００に２５ｋＷの電力を供給すると特定する。
【００４２】
そして、電力供給源制御部４４は、特定した需要家１０のそれぞれに対応する供給電力をそれぞれに対応する時間帯に出力するように蓄電装置３０２を制御する（ステップＳ６）。例えば、電力供給源制御部４４は、９：００〜１２：００、１４:００〜１７：００に１２．５ｋＷの電力を需要家１０ａに供給し、１２：００〜１４:００に２５ｋＷの電力を供給する制御信号を蓄電装置３０２に出力する。また、電力供給源制御部４４は、１：００〜４：００に２５ｋＷの電力を需要家１０ｂに供給する制御信号を蓄電装置３０２に出力する。
【００４３】
蓄電装置３０２は、電力供給源制御部４４の制御に基づいて、需要家１０のそれぞれに対してそれぞれに決定された所定の時間帯に電力を供給する（ステップＳ７）。なお、所定の時間帯以外の時間帯には、電力供給装置３０とは別の発電装置などの余剰電力、出力抑制時の一時的な抑制電力などを利用して蓄電装置３０２に電力を蓄える。なお、組合せ決定部４２は、所定の時間帯以外の時間帯におけるさらなる需要家の組み合わせを決定し、蓄電装置３０２が負荷１０１に電力を供給するものであってもよい。
【００４４】
以上、本発明の第一の実施形態による電力供給システム１が備える電力供給装置３０の処理フローについて説明した。上述の電力供給装置３０の各処理において、組合せ決定部４２は、複数の需要家１０の消費電力が契約電力を越える時間帯に基づいて、消費電力が契約電力を越える時間帯の異なる複数の需要家１０の組み合わせを決定する。蓄電装置３０２は、複数の需要家のそれぞれに対して電力を供給する。また、蓄電装置３０２は、供給する電力の電圧を電力の供給先の電圧に適した電圧に変換し、電力供給する。さらに、蓄電装置３０２は、電力供給源制御部４４による制御に基づいて、電力の供給先に電力を供給する。電力供給源制御部４４は、消費電力が契約電力を越える時間帯の異なる複数の需要家１０のそれぞれ（需要家１０ａ、需要家１０ｂ）に対して蓄電装置３０２が所定の時間帯に電力を供給するように蓄電装置３０２を制御する。電力供給源制御部４４は、所定の電力の供給先に電力供給するように蓄電装置３０２を制御する。
【００４５】
このようにすれば、複数の需要家１０のそれぞれが蓄電装置３０２を用意して契約電力を越える分の電力を負荷１０１に供給する一般的な場合に比べ、組合せ決定部４２が組み合わせを決定した、消費電力が契約電力を越える時間帯の異なる需要家１０が共有する蓄電装置３０２を用意して契約電力を越える分の電力を負荷１０１に供給することで、蓄電装置３０２を効率的に利用することができる。
【００４６】
＜第二の実施形態＞
次に、本発明の第二の実施形態による電力供給装置３０を備える電力供給システム１の構成について説明する。図５は、本発明の第二の実施形態による電力供給装置３０を備える電力供給システム１の構成の一例を示す図である。図５に示すように、本発明の第二の実施形態による電力供給装置３０を備える電力供給システム１は、第一の実施形態による電力供給システム１の構成に発電装置３０５（電力供給源）を追加した構成である。
【００４７】
発電装置３０５は、電力を生成し、複数の需要家のそれぞれに対して電力を供給する。発電装置３０５は、例えば、風力発電装置、地熱発電装置、鉄道の回生ブレーキを利用した発電装置、音や振動を利用した発電装置、エンジン発電装置、タービン発電装置、火力・水力発電装置、揚水発電装置などである。また、発電装置３０５は、電力供給源制御部４４による制御に基づいて、供給する電力の電圧を供給先の電圧に適した電圧に変換し電力供給する。また、発電装置３０５は、需要家に電力を供給する所定の時間帯以外の時間帯に蓄電装置３０２を充電する。
【００４８】
次に、本発明の第二の実施形態による電力供給装置３０の処理について説明する。図６は、本発明の第二の実施形態による電力供給装置３０の処理フローの一例を示す図である。
ここでは、第一の実施形態による電力供給装置３０の処理フローと異なるステップＳ８〜ステップＳ１０の処理について説明する。
【００４９】
第二の実施形態による電力供給装置３０は、第一の実施形態による電力供給装置３０と同様にステップＳ１からステップＳ５の処理を行うと、第二の実施形態による電力供給装置３０が備える電力供給源制御部４４は、特定した需要家１０のそれぞれに対応する供給電力を対応する時間帯に出力するように蓄電装置３０２と発電装置３０５とを制御する（ステップＳ８）。例えば、電力供給源制御部４４は、９：００〜１２：００、１４:００〜１７：００に１２．５ｋＷの電力を需要家１０ａに供給し、１２：００〜１４:００に２５ｋＷの電力を供給する制御信号を蓄電装置３０２に出力する。また、電力供給源制御部４４は、１：００〜４：００に２５ｋＷの電力を需要家１０ｂに供給する制御信号を発電装置３０５に出力する。なお、電力供給源制御部４４は、発電装置３０５が電力供給中の時間帯に、蓄電装置３０２は系統Ａから充電することもできる。また、この電力供給システムの場合、蓄電装置３０２は発電装置３０５より電力供給を受け充電することも可能である。なお、ここで示した例は、ステップＳ８の一例であってそれに限定するものではない。例えば、蓄電装置３０２と発電装置３０５が同一の需要家１０に対して電力を供給するものであってもよい。
【００５０】
蓄電装置３０２と発電装置３０５は、電力供給源制御部４４の制御に基づいて、電力を生成し、需要家１０のそれぞれに対してそれぞれに決定された所定の時間帯に電力を供給する（ステップＳ９）。発電装置３０５は、所定の時間帯以外の時間帯において蓄電装置３０２を充電する（ステップＳ１０）。
【００５１】
なお、所定の時間帯以外の時間帯に別の需要家をさらに組み合わせて蓄電装置３０２と発電装置３０５から電力を供給するものであってもよい。また、蓄電装置３０２は、所定の時間帯において電力供給装置３０とは別の電力供給装置などの余剰電力を用いて蓄電装置３０２を充電するものであってもよい。また、電力供給装置３０内の発電装置３０５より電力供給を受け充電してもよい。
【００５２】
以上、本発明の第二の実施形態による電力供給システム１が備える電力供給装置３０の処理フローについて説明した。上述の電力供給装置３０の処理において、電力供給源制御部４４は、特定した需要家１０のそれぞれに対応する供給電力をそれぞれ必要な時間帯に出力するように蓄電装置３０２と発電装置３０５とを制御する。蓄電装置３０２と発電装置３０５は、電力供給源制御部４４の制御に基づいて、需要家１０のそれぞれに対して所定の時間帯に電力を供給する。蓄電装置３０２は既存の系統Ａより充電することも可能であるし、発電装置３０５を用い、所定の時間帯以外の時間帯において蓄電装置３０２を充電することも可能である。
【００５３】
このようにすれば、複数の需要家１０のそれぞれが蓄電装置３０２と発電装置３０５とを用意して契約電力を越える分の電力を負荷１０１に供給する一般的な場合に比べ、組合せ決定部４２が組み合わせを決定した消費電力が契約電力を越える時間帯の異なる需要家１０が共有する蓄電装置３０２と発電装置３０５とを用意して契約電力を越える分の電力を負荷１０１に供給することで、蓄電装置３０２と発電装置３０５とを効率的に利用することができる。また、発電装置３０５は、所定の時間帯以外の時間帯において蓄電装置３０２を充電することもできる。また、系統脱落時にも発電装置３０５、蓄電装置３０２を用い、長時間の非常用電源システムとして利用することも可能である。
【００５４】
＜第三の実施形態＞
次に、本発明の第三の実施形態による電力供給装置３０を備える電力供給システム１の構成について説明する。図７は、本発明の第三の実施形態による電力供給装置３０を備える電力供給システム１の構成の一例を示す図である。
図７に示すように、本発明の第三の実施形態による電力供給装置３０を備える電力供給システム１は、第二の実施形態による電力供給システム１の構成に蓄電装置３０６（電力供給源）を追加した構成である。
【００５５】
蓄電装置３０６は、複数の需要家のそれぞれに対して電力を供給する。蓄電装置３０６は、複数の需要家のそれぞれに対して電力を供給する。蓄電装置３０６は、例えば、ナトリウム硫黄電池やリチウムイオン電池などの蓄電池を有する。また、蓄電装置３０６は、供給する電力の電圧を供給先の電圧に適した電圧に変換し電力供給する。
また、蓄電装置３０６は、電力供給源制御部４４による制御に基づいて、電力の供給先と接続する。なお、蓄電装置３０６は、蓄電装置３０２と同一の蓄電装置であってもよいし、異なる蓄電装置であってもよい。
【００５６】
次に、本発明の第三の実施形態による電力供給装置３０の処理について説明する。図８は、本発明の第三の実施形態による電力供給装置３０の処理フローの一例を示す図である。
ここでは、第三の実施形態による電力供給装置３０の処理フローと異なるステップＳ１０〜ステップＳ１３の処理について説明する。
【００５７】
第三の実施形態による電力供給装置３０は、第二の実施形態による電力供給装置３０と同様にステップＳ１からステップＳ５の処理を行うと、第三の実施形態による電力供給装置３０が備える電力供給源制御部４４は、特定した需要家１０のそれぞれに対応する供給電力を対応する時間帯に出力するように蓄電装置３０２と蓄電装置３０６とを制御する（ステップＳ１１）。例えば、電力供給源制御部４４は、９：００〜１２：００、１４:００〜１７：００に１２．５ｋＷの電力を、１２：００〜１４:００に２５ｋＷの電力を供給する制御信号を蓄電装置３０２に出力する。また、電力供給源制御部４４は、１：００〜４：００に２５ｋＷの電力を需要家１０ｂに供給する制御信号を蓄電装置３０６に出力する。
【００５８】
また、電力供給源制御部４４は、蓄電装置３０２と蓄電装置３０６とを充電するように発電装置３０５を制御する（ステップＳ１２）。例えば、電力供給源制御部４４は、９：００〜１２：００、１４:００〜１７：００に１２．５ｋＷの電力を、１２：００〜１４:００に２５ｋＷの電力を供給する制御信号を蓄電装置３０２に出力した場合、９：００〜１７：００に蓄電装置３０６を充電する制御信号を発電装置３０５に出力する。また、電力供給源制御部４４は、１：００〜４：００に２５ｋＷの電力を需要家１０ｂに供給する制御信号を蓄電装置３０６に出力した場合、１：００〜４：００に蓄電装置３０２を充電する制御信号を発電装置３０５に出力する。また、発電装置３０５が電力供給中に蓄電装置３０２、または蓄電装置３０６は系統Ａから充電することもできる。
【００５９】
蓄電装置３０２と蓄電装置３０６は、電力供給源制御部４４の制御に基づいて、需要家１０のそれぞれに対して所定の時間帯に電力を供給する（ステップＳ１３）。発電装置３０５は、蓄電装置３０２と蓄電装置３０６とを充電する（ステップＳ１４）。
【００６０】
なお、所定の時間帯以外の時間帯に別の需要家をさらに組み合わせて蓄電装置３０２と発電装置３０５から電力を供給するものであってもよい。また、発電装置３０５は、所定の時間帯において需要家１０に供給し、別の電力供給装置などの余剰電力を用いて蓄電装置３０２と蓄電装置３０６とを充電するものであってもよい。また、発電装置３０５は、所定の時間帯以外の時間帯に蓄電装置３０２と蓄電装置３０６とを充電するものであってもよい。
【００６１】
以上、本発明の第三の実施形態による電力供給システム１が備える電力供給装置３０の処理フローについて説明した。上述の電力供給装置３０の処理において、電力供給源制御部４４は、特定した需要家１０のそれぞれに対応する供給電力をそれぞれ必要な時間帯に出力するように蓄電装置３０２と蓄電装置３０６と発電装置３０５を制御する。蓄電装置３０２と蓄電装置３０６と発電装置３０５は、電力供給源制御部４４の制御に基づいて、需要家１０のそれぞれに対して所定の時間帯に電力を供給する。発電装置３０５は、電力を生成し、蓄電装置３０２と蓄電装置３０６を充電することもできる。
このようにすれば、電力供給源を用意する場合に、蓄電装置３０２と蓄電装置３０６は使用されていない時間帯を作ることができ、確実に充電することもできる。また、系統脱落時にも発電装置３０５、蓄電装置３０２、蓄電装置３０６を用い、長時間の非常用電源システムとして利用することも可能である。
【００６２】
上述した各実施形態において、電力供給装置３０から需要家１０への電力供給形態として、蓄電装置３０２から直接電力ケーブルを介して各需要家の負荷に電力を供給する場合に限られず、例えば、既存の系統Ａを利用した託送方式を採っても良い。図９は、第一の実施形態の変形例として、蓄電装置３０２から系統Ａを利用して各需要家１０の負荷に電力を供給する電力供給システムを示す。図１０は、第二の実施形態の変形例として、蓄電装置３０２及び発電装置３０５から系統Ａを利用して各需要家１０の負荷に電力を供給する電力供給システムを示す。図１１は、第三の実施形態の変形例として、蓄電装置３０２及び蓄電装置３０６、発電装置３０５から系統Ａを利用して各需要家１０の負荷に電力を供給する電力供給システムを示す。
【００６３】
なお、本発明の実施形態において、蓄電装置３０２と発電装置３０５と蓄電装置３０６は、負荷１０１に電力を供給しない時間帯に、系統Ａに電力を供給し、売電するものであってもよい。
【００６４】
なお、本発明の実施形態において、負荷１０１の消費電力が契約電力を越える時間帯の異なる複数の需要家１０の組み合わせを組合せ決定部４２が決定するものとして説明したが、それに限定するものではない。例えば、ユーザが需要家１０のそれぞれの電力量計２０の情報を目視し、負荷１０１の消費電力が契約電力を越える時間帯の異なる複数の需要家１０の組み合わせを決定するものであってもよい。
【００６５】
なお、本発明の実施形態において、電力供給装置３０は、需要家１０のそれぞれに対して所定の時間帯に電力を供給するものであり、所定の時間帯以外の時間帯に需要家１０が備える負荷１０１の消費電力が契約電力を越えたても、電力供給装置３０は、負荷１０１に電力を供給しないものである。
【００６６】
なお、本発明における記憶部４３は、適切な情報の送受信が行われる範囲において、どこに備えられていてもよい。また、記憶部４３は、適切な情報の送受信が行われる範囲において複数存在しデータを分散して記憶していてもよい。
【００６７】
なお、本発明の実施形態における処理フローは、適切な処理が行われる範囲において、処理の順番が入れ替わってもよい。
【００６８】
なお、本発明の実施形態について説明したが、上述の電力供給装置３０は、内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００６９】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であってもよい。
【００７０】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００７１】
１・・・電力供給システム、
１０、１０ａ、１０ｂ・・・需要家、
２０、２０ａ、２０ｂ・・・電力量計、
３０・・・電力供給装置、
１０１、１０１ａ、１０１ｂ・・・負荷、
３０２、３０６・・・蓄電装置、
３０３・・・電力供給源制御装置、
３０５・・・発電装置、
４１・・・電力量取得部、
４２・・・組合せ決定部、
４３・・・記憶部、
４４・・・電力供給源制御部、
Ａ・・・系統。
【図１】
2016135025.tif 000003
【図２Ａ】
2016135025.tif 000004
【図２Ｂ】
2016135025.tif 000005
【図３】
2016135025.tif 000006
【図４】
2016135025.tif 000007
【図５】
2016135025.tif 000008
【図６】
2016135025.tif 000009
【図７】
2016135025.tif 000010
【図８】
2016135025.tif 000011
【図９】
2016135025.tif 000012
【図１０】
2016135025.tif 000013
【図１１】
2016135025.tif 000014